(57)【要約】【課題】圧着成形時におけるトリム本体と表皮セットガイドとの干渉の回避を図る。【解決手段】表皮セットガイド８は、トリム本体Ｔと表皮Ｓとの圧着貼合時に、下動手段１３により上端縁がトリム本体Ｔと非接触となる位置にまで下動され、トリム本体Ｔの表面と表皮セットガイド８の上端縁との直接干渉が回避される。【選択図】図１
2010253734.tif 000002
【特許請求の範囲】
【請求項１】
トリム本体を表皮に押圧する昇降可能な上型と、
前記表皮がセットされる下型と、
前記下型の外側で上下方向に可動的に配置され、該下型にセットされる表皮の端末を側面で受け止めて表皮を位置決めする表皮セットガイドと、を備え、
前記表皮セットガイドが、前記トリム本体と表皮との圧着貼合時に、下動手段により上端縁がトリム本体と非接触となる位置にまで下動されることを特徴とする圧着装置。
【請求項２】
前記下型と表皮セットガイドとの間には、前記トリム本体と表皮との圧着貼合時に、該表皮の端末部をトリム本体に形成された木目込み溝に折り込み圧入させる木目込み用バーが配設されていることを特徴とする請求項１に記載の圧着装置。
【請求項３】
前記表皮セットガイドは付勢手段により上下方向に可動的に弾性支持されている一方、
前記表皮セットガイドの下動手段が、前記上型の外側に配置されてトリム本体の外周部分を支承し、該上型の下動に伴って下動される中間セット受けと、
前記表皮セットガイドに設けられ、前記中間セット受けの所定の下動ストローク位置で該中間セット受けと上下方向に係合して、該中間セット受けと一体に表皮セットガイドを下動させる突当て面と、で構成されていることを特徴とする請求項１または２に記載の圧着装置。
【発明の詳細な説明】
【技術分野】
【０００１】
本発明は、自動車のドアトリムやリヤサイドトリム等に代表される車両用内装材の成形に用いられる圧着装置に関する。
【背景技術】
【０００２】
前記車両用内装材は、予め適宜の合成樹脂材をもって所定の形状に型成形されたトリム本体の車室側の側面に、クッション性を有する装飾用の表皮を貼合して構成される。
【０００３】
この表皮は、適宜の合成樹脂材からなる軟質発泡シート、もしくは該軟質発泡シートの片面にクロス，合皮等を積層成形したものが用いられ、例えば特許文献１または２に示された圧着装置によりトリム本体に圧着貼合される。
【０００４】
この圧着装置は、シリンダー機構により昇降される上型と、該上型に対向する下型とを備え、上型にトリム本体をセットすると共に下型に表皮をセットし、これら上型と下型とにより圧締することによりトリム本体と表皮とを、接着剤を介して圧着貼合するように構成されている。
【０００５】
また、前記下型を配設したテーブルには、該下型の外側に配置されて前記表皮を位置決めする表皮セットガイドが配設されている。
【０００６】
この表皮セットガイドは前記下型の外側（側部）に隣接配置されてスプリングにより上下方向に可動的に弾性支持されており、表皮を下型の型面上にセットした時には、側面で該表皮の端末を受け止めて適正位置に位置決めし、前記圧着貼合時には上型により下動してくるトリム本体に上端縁が当接して下動されるようになっている。
【先行技術文献】
【特許文献】
【０００７】
【特許文献１】特開平６−２１８８２２号公報
【特許文献２】特開２００７−３８５６１号公報
【発明の概要】
【発明が解決しようとする課題】
【０００８】
前記従来の構造では、何れも圧着貼合時にトリム本体の表面と表皮セットガイドの上端縁とが直接干渉し、該表皮セットガイドが上型に押圧されてスプリングのばね力に抗して下動するため、前記トリム本体の表面と表皮セットガイドの上端縁との圧接によって、該トリム本体の表面を汚損したり、傷付ける可能性がある。
【０００９】
これを回避するために、前記スプリングのばね力を弱めたり、圧着スピードを遅くする等が考えられるが、前者の場合は表皮のセット時にセットガイドが沈んだり、元の位置まで戻らなくなってセット性が悪化してしまい、また、後者の場合は圧着成形時間が長くなって成形効率が低下することから、何れも最良の解決策とはならない。
【００１０】
そこで、本発明は簡単な構造により、圧着成形時にトリム本体と表皮セットガイドの上端縁との直接干渉を回避して、トリム本体表面の汚損，損傷を防止することができる圧着装置を提供するものである。
【課題を解決するための手段】
【００１１】
本発明の圧着装置にあっては、トリム本体を表皮に押圧する昇降可能な上型と、前記表皮がセットされる下型と、前記下型の外側で上下方向に可動的に配置され、該下型にセットされる表皮の端末を側面で受け止めて表皮を位置決めする表皮セットガイドと、を備え、前記表皮セットガイドが、前記トリム本体と表皮との圧着貼合時に、下動手段により上端縁がトリム本体と非接触となる位置にまで下動されることを主要な特徴としている。
【００１２】
前記表皮セットガイドは、トリム本体と表皮との圧着貼合時に、下動手段により上端縁がトリム本体と非接触となる位置にまで下動されるため、トリム本体の表面と表皮セットガイドの上端縁との直接干渉が回避される。
【発明の効果】
【００１３】
本発明によれば、トリム本体と表皮との圧着貼合時に、下動手段により表皮セットガイドが、その上端縁がトリム本体と非接触となる位置にまで下動されて、該上端縁とトリム本体との直接干渉が回避されるため、トリム本体表面の汚損，損傷を防止できて、高品質の車両用内装材を得ることができる。
【図面の簡単な説明】
【００１４】
【図１】本発明の第１実施形態を略示的に示す全体構成図。
【図２】図１の要部を示す拡大図。
【図３】圧着貼合時の状態を示す図２と同様の拡大図。
【図４】本発明の第２実施形態を示す図３と同様の拡大図。
【発明を実施するための形態】
【００１５】
以下、本発明の実施形態を図面と共に詳述する。
【００１６】
図１〜図３は本発明に係る圧着装置の第１実施形態を示し、本実施形態では、トリム本体Ｔの片面（車室内側に配置される面）の中間部分に表皮Ｓを圧着貼合する例を示している。
【００１７】
圧着装置は、圧着シリンダー３により昇降される上型１と、該上型１と対向してテーブル４上に固定配置された下型２とを備えている。
【００１８】
上型１の型面１ａには前記トリム本体Ｔの中間部分がセットされる一方、下型２の型面２ａには予め貼合面（図１の上面）に適宜の接着剤が塗布された前記表皮Ｓがセットされ、前記圧着シリンダー３により上型１を下動して、上型１と下型２との圧締によってトリム本体Ｔと表皮Ｓとを貼合するように構成されている。
【００１９】
前記トリム本体Ｔは、予め適宜の合成樹脂材をもって所定の形状に型成形され、表皮Ｓは適宜の軟質発泡樹脂シート、またはその片面に合皮やクロス等をラミネート加工して積層したクッション性のある樹脂シートが用いられる。
【００２０】
前述のように本実施形態ではトリム本体Ｔの中間部分に表皮Ｓを貼合する例を示しており、従って、前記上型１の型面１ａはトリム本体Ｔの中間部分の湾曲形状に整合した凹型に形成されている一方、下型２の型面２ａは前記上型１の型面１ａに適合した凸型に形成されている。
【００２１】
前記トリム本体Ｔの中間部分を上型１の型面にセットするため、本実施形態にあってはトリム本体Ｔの周縁部分を支承する中間セット受け５が用いられている。
【００２２】
この中間セット受け５は、前記上型１，下型２の上下方向中間部分の外側に配置され、例えばスプリングダンパー等の弾性支持機構６により前記テーブル４上に上下方向に可動的に取付けられている。
【００２３】
前記中間セット受け５の上面は、対応するトリム本体Ｔの周縁部分の成形形状に整合した型面５ａとして形成され、該型面５ａ上にトリム本体Ｔの周縁部分を嵌合することによって、該トリム本体Ｔの中間部分が上型１の型面１ａに適正にセットされるようになっている。
【００２４】
前記上型１を取付けた上型ホルダー１Ａの下面には、上型１の下動時に前記中間セット受け５の型面５ａの外側の上面部分を押圧する押圧ロッド７が設けられている。
【００２５】
これにより、上型１の下動に伴って中間セット受け５が弾性支持機構６の付勢力に抗して下動して、トリム本体Ｔの中間部分を下型２の型面２ａ上にセットされた表皮Ｓに適正に圧着できるように構成されている。
【００２６】
一方、前記下型２の外側（側部）には、前記表皮Ｓを型面２ａ上に位置決めする表皮セットガイド８が配設されている。
【００２７】
この表皮セットガイド８は、付勢手段、例えばスプリングダンパー等の弾性支持機構９により前記テーブル４上に上下方向に可動的に弾性支持されていて、前記下型２の型面２ａ上にセットされる表皮Ｓの端末を側面で受け止めて表皮Ｓが型面２ａ上の適正位置に位置決めされるようにしている。
【００２８】
また、本実施形態にあっては、前記表皮Ｓをトリム本体Ｔの表面に貼合するだけではなく、このトリム本体Ｔと表皮Ｓとの圧着貼合時に、図２，図３に示すように表皮Ｓの周縁の端末部をトリム本体Ｔに形成された木目込み溝Ｔａに折り込み圧入して端末を処理する、所謂、木目込み成形を行えるようにしている。
【００２９】
この表皮Ｓの端末部の木目込み成形は、前記下型２と表皮セットガイド８との間に配置された木目込み用バー１１によって行われる。
【００３０】
前記木目込み用バー１１は、例えばエアシリンダー等のシリンダー機構１２により前記テーブル４上に上下方向に可動的に配設されていて、該シリンダー機構１２により上動されることにより、上端縁で前記下型２の型面２ａから外側にはみ出した表皮Ｓの周縁端末部を下側から突き上げ、該周縁端末部をトリム本体Ｔの木目込み溝Ｔａ内に折り曲げながら滑り込ませて圧入嵌合させて端末処理するように構成されている。
【００３１】
そして、本発明にあっては、前記表皮セットガイド８は、前記トリム本体Ｔと表皮Ｓとの圧着貼合時に、下動手段１３により該表皮セットガイド８の上端縁をトリム本体Ｔと非接触となる位置にまで下動するように構成されている。
【００３２】
この下動手段１３は本実施形態にあっては、前記中間セット受け５と、前記表皮セットガイド８に設けられて、前記中間セット受け５の所定の下動ストローク位置で該中間セット受け５と上下方向に係合して、該中間セット受け５と一体に表皮セットガイド８を下動させる突当て面１４と、で構成されている。
【００３３】
この突当て面１４は、例えば前記表皮セットガイド８の外側面に中間セット受け５の内周側下面の下方に突出する係合子１５を突設して、該係合子１５の上面を前記突当て面１４として構成することができる。
【００３４】
この係合子１５は、前記上型１と共に中間セット受け５が下動すると、トリム本体Ｔの中間部分が図３に示すように下型２の型面２ａ上にセットされた表皮Ｓに当接する直前で、該中間セット受け５の下面が該係合子１５の上面で構成する突当て面１４に係合して表皮セットガイド８を下動させ、トリム本体Ｔと表皮Ｓとの圧着作用期間では該トリム本体Ｔの表面と表皮セットガイド８の上端縁との間に所要の隙間δを確保し得る所要の高さ位置に設定される。
【００３５】
以上の構成からなる本実施形態の圧着装置によれば、トリム本体Ｔと表皮Ｓとの圧着工程で、該トリム本体Ｔの中間部分が表皮Ｓ面に当接する直前で中間セット受け５の下面が係合子１５の突当て面１４に係合して、トリム本体Ｔの表面と表皮セットガイド８の上端縁との間に隙間δが確保され、それ以降は表皮セットガイド８が中間セット受け５と一体に下動して、トリム本体Ｔと表皮Ｓとの圧着作用期間中、該トリム本体Ｔと表皮セットガイド８の上端縁との非接触状態が維持される。
【００３６】
この結果、前記表皮セットガイド８の上端縁が圧接することによるトリム本体Ｔの表面の汚損あるいは損傷を確実に防止して、高品質の車両用内装材を得ることができる。
【００３７】
特に、本実施形態では前記トリム本体Ｔと表皮Ｓとの圧着工程で、木目込み用バー１１の上昇作動により表皮Ｓの周縁端末部がトリム本体Ｔの木目込み溝Ｔａに折り込み圧入されて、該表皮Ｓの端末処理が行われ、前記表皮セットガイド８の上端縁が、丁度この表皮Ｓの木目込み端末処理のパーティングライン近傍に位置することになるが、前述のようにこの表皮セットガイド８の上端縁との干渉に起因するトリム本体Ｔ表面の、特に目立ち易い前記パーティングライン近傍の汚損，損傷が回避されるため、商品価値の高い車両用内装材を得ることができる。
【００３８】
また、前記下動手段１３は、表皮セットガイド８の所定の高さ位置に中間セット受け５の下面と係合可能な突当て面１４を設けるだけで構成することができるので、大幅な設計変更や部品点数の増加が伴うことがなく、コスト的に有利に得ることができる。
【００３９】
前記第１実施形態では表皮セットガイド８をテーブル４上に弾性支持手段９により弾性支持し、中間セット受け５の所定の下動ストローク位置でその下面と突当て面１４との係合により、該中間セット受け５を下動させるようにしているが、図４に示す第２実施形態のように、表皮セットガイド８を例えばエアシリンダー等のシリンダー機構１６により昇降可能に配設して、該シリンダー機構１６を前記下動手段１３とすることもできる。
【００４０】
この第２実施形態では、前記圧着作動工程において、トリム本体Ｔが表皮Ｓと当接する直前のタイミングでシリンダー機構１６により表皮セットガイド８を下動することによって、その上端縁の干渉によるトリム本体Ｔ表面の汚損，損傷を回避することができる。
【００４１】
なお、前記実施形態ではトリム本体Ｔと表皮Ｓとの圧着貼合成形時に、木目込み用バー１１により表皮Ｓの木目込み端末処理を行わせるようにしたものを開示したが、単純にトリム本体Ｔと表皮Ｓとを圧着貼合する構成のものにも適用できることは勿論である。
【００４２】
また、前記実施形態では、下型２をテーブル４上に固定配置し、木目込み用バー１１をエアシリンダー１２により上下方向に可動的に配設した例を示したが、下型２をテーブル４上に弾性支持機構により上下方向に可動的に配設する一方、木目込み用バー１１をテーブル４上に固定配置し、圧着工程時における下型２の沈み込みによる下型２と木目込み用バー１１の上下方向の相対移動により、表皮Ｓの木目込み端末処理を行わせるようにすることもできる。
【符号の説明】
【００４３】
１…上型
２…下型
５…中間セット受け
８…表皮セットガイド
１１…木目込み用バー
１３…下動手段
１４…突当て面
１６…シリンダー機構（下動手段）
Ｔ…トリム本体
Ｔａ…木目込み溝
Ｓ…表皮
【図１】
2010253734.tif 000003
【図２】
2010253734.tif 000004
【図３】
2010253734.tif 000005
【図４】
2010253734.tif 000006